(57)【要約】      （修正有）【課題】使用者の手間を抑えながら、大量の媒体を取り込み得る媒体取込装置を提供する。【解決手段】紙幣処理装置の入金部１２は、中央カバー部２２における連動レバー５５の連動板６２と、バックアップ部２９におけるバックアップ腕部の連動ローラ８８とを連動部として連動させるようにした。これにより入金部１２は、中央カバー部２２を閉塞状態から開放状態に遷移させることに連動して、バックアップ部２９を上方へ変位させることができるので、新たな紙幣を集積空間３０に投入させることができる。また入金部１２は、中央カバー部２２を開放状態から閉塞状態に遷移させることに連動して、バックアップ部２９を下降させ紙幣の上面に当接させることができるので、紙幣の分離及び取込の精度を高めることができる。【選択図】図１３
2018205820.tif 000002
【特許請求の範囲】
【請求項１】
複数の媒体を所定の集積方向に沿って集積させる集積空間を形成する集積部と、
前記集積部における前記集積方向と反対の反集積方向側に設けられ、前記集積空間に集積された前記媒体を１枚ずつに分離して取り込む分離取込部と、
前記集積空間内で前記集積方向又は前記反集積方向へ移動可能であり、該集積空間内に集積された前記媒体を前記反集積方向に押圧する媒体押圧部と、
閉塞状態において前記集積空間を外部の空間から遮蔽し、開放状態において前記集積空間を外部の空間と連通させるカバー部と、
前記カバー部及び前記媒体押圧部のうち何れか一方を他方と連動させることにより、前記カバー部が前記開放状態である場合に前記媒体押圧部を前記集積空間の前記集積方向側に位置させ、前記カバー部が前記閉塞状態である場合に前記媒体押圧部により前記集積空間内の前記媒体を前記反集積方向に押圧させる連動部と
ことを特徴とする媒体取込装置。
【請求項２】
前記連動部は、前記カバー部を前記閉塞状態から前記開放状態に遷移させる場合に、前記媒体押圧部を前記集積空間において前記集積方向へ移動させ、前記カバー部を前記開放状態から前記閉塞状態に遷移させる場合に、前記媒体押圧部を前記集積空間内において前記反集積方向へ移動させる
ことを特徴とする請求項１に記載の媒体取込装置。
【請求項３】
前記連動部は、前記カバー部が前記開放状態である場合に、前記分離取込部及び前記媒体押圧部の間を、所定枚数の前記媒体を投入可能な間隔以上に引き離す
ことを特徴とする請求項２に記載の媒体取込装置。
【請求項４】
前記連動部は、前記集積空間に前記媒体が集積されている場合、前記カバー部を前記開放状態から前記閉塞状態に遷移させる途中で、前記媒体押圧部と前記カバー部との連動を解除する
ことを特徴とする請求項２に記載の媒体取込装置。
【請求項５】
前記連動部は、前記カバー部を前記閉塞状態から前記開放状態に遷移させる場合、少なくとも一時的に、前記カバー部から前記媒体押圧部に前記集積方向へ力を伝える
ことを特徴とする請求項２に記載の媒体取込装置。
【請求項６】
前記カバー部は、所定の回動軸を中心に回動することにより前記閉塞状態又は前記開放状態に遷移し、
前記連動部は、前記媒体押圧部に設けられた媒体押圧部連動体と、前記カバー部に設けられたカバー部連動体とを当接させることにより、前記カバー部を前記閉塞状態から前記開放状態に遷移させる場合に、前記媒体押圧部を前記集積空間で前記集積方向へ移動させる
ことを特徴とする請求項２に記載の媒体取込装置。
【請求項７】
前記カバー部は、回動時に前記媒体押圧部と連動する場合、前記カバー部連動体において前記媒体押圧部連動体が当接する箇所を回動に伴って変位させ、
前記媒体押圧部連動体は、自在に回転可能な連動ローラであり、前記カバー部連動体と当接する場合に、該連動ローラの周側面を前記カバー部連動体に当接させる
ことを特徴とする請求項６に記載の媒体取込装置。
【請求項８】
前記集積部において前記集積空間を囲む集積側部に形成され、前記集積方向に沿った集積方向溝
をさらに具え、
前記媒体押圧部連動体は、前記集積方向溝に挿通されている
ことを特徴とする請求項７に記載の媒体取込装置。
【請求項９】
前記媒体押圧部連動体は、自在に回転可能な溝ローラを有し、前記集積方向溝の内側面に該溝ローラを当接させる
ことを特徴とする請求項８に記載の媒体取込装置。
【請求項１０】
前記連動部は、前記媒体押圧部を前記集積空間内において前記集積方向へ移動させることにより、前記カバー部を前記閉塞状態から前記開放状態に遷移させ、前記媒体押圧部を前記集積空間内において前記反集積方向へ移動させることにより、前記カバー部を前記開放状態から前記閉塞状態に遷移させる
ことを特徴とする請求項１に記載の媒体取込装置。
【請求項１１】
前記カバー部及び前記媒体押圧部は、前記カバー部が前記開放状態である場合に、該カバー部と前記媒体押圧部との間に前記媒体が投入されることを抑止する
ことを特徴とする請求項１に記載の媒体取込装置。
【請求項１２】
媒体を取り込む媒体取込部と、
前記媒体取込部により取り込まれた前記媒体を搬送する搬送部と
前記搬送部により搬送された前記媒体を鑑別する鑑別部と
を具え、
前記媒体取込部は、
複数の前記媒体を所定の集積方向に沿って集積させる集積空間を形成する集積部と、
前記集積部における前記集積方向と反対の反集積方向側に設けられ、前記集積空間に集積された前記媒体を１枚ずつに分離して取り込む分離取込部と、
前記集積空間内で前記集積方向又は前記反集積方向へ移動可能であり、該集積空間内に集積された前記媒体を前記反集積方向に押圧する媒体押圧部と、
閉塞状態において前記集積空間を外部の空間から遮蔽し、開放状態において前記集積空間を外部の空間と連通させるカバー部と、
前記カバー部及び前記媒体押圧部のうち何れか一方を他方と連動させることにより、前記カバー部が前記開放状態である場合に前記媒体押圧部を前記集積空間の前記集積方向側に位置させ、前記カバー部が前記閉塞状態である場合に前記媒体押圧部により前記反集積空間内の前記媒体を前記反集積方向に押圧させる連動部と
を具えることを特徴とする媒体処理装置。
【請求項１３】
前記媒体取込部に対し、前記カバー部が前記開放状態において前記集積空間を開放する手前側に配置され、前記搬送部から受け取った前記媒体を集積する第１排出媒体集積空間と、該第１排出媒体集積空間を開放又は閉塞する第１排出カバーとを有する第１媒体排出部と、
前記第１媒体排出部の手前側に配置され、前記搬送部から受け取った前記媒体を集積する第２排出媒体集積空間と、該第２排出媒体集積空間を開放又は閉塞する第２排出カバーとを有する第２媒体排出部と
をさらに具え、
前記媒体取込部は、前記集積部において前記媒体を載置する載置面の手前側端部が、開放された前記第１排出カバーの上端よりも低く、且つ開放された前記第２排出カバーの上端よりも高い位置に配置され、
前記搬送部は、前記鑑別部において排出すべきと鑑別されたリジェクト媒体を前記第２媒体排出部へ搬送し、
前記第２媒体排出部は、前記第２排出カバーを開放し、前記搬送部により搬送された前記リジェクト媒体を前記第２排出媒体集積空間に集積する
ことを特徴とする請求項１２に記載の媒体処理装置。
【発明の詳細な説明】
【技術分野】
【０００１】
本発明は媒体取込装置及び媒体処理装置に関し、例えば金融機関の窓口に設置され、媒体としての紙幣に関する取引処理を行う紙幣処理装置（いわゆるテラーマシン）に適用して好適なものである。
【背景技術】
【０００２】
従来、紙幣処理装置としては、金融機関において職員（いわゆるテラー）や顧客等の使用者に操作されることにより、使用者との間で現金の入金や出金等のような種々の取引処理を行うものが広く普及している。
【０００３】
紙幣処理装置には、例えば使用者から紙幣を受け取る入金部、使用者に紙幣を引き渡す出金部、紙幣を所定の搬送路に沿って搬送する搬送部、紙幣を鑑別する鑑別部、紙幣を一時的に保留する一時保留部、及び紙幣を収納する紙幣収納庫等が設けられている。
【０００４】
このうち入金部としては、所定の最大収納枚数（例えば３００枚）までの紙幣を収納する集積空間や、該集積空間に収納されている紙幣を１枚ずつに分離して搬送部に引き渡す分離部等を有するものがある。このような入金部を有する紙幣処理装置として、使用者との間で入金取引を行う場合に、集積された紙幣が使用者により入金部の集積空間へ投入された後、この紙幣を分離部により１枚ずつに分離しながら繰り出し、搬送部に順次引き渡していくものが提案されている（例えば、特許文献１参照）。
【先行技術文献】
【特許文献】
【０００５】
【特許文献１】特開２０１３−１１７８９９号公報（図２）
【発明の概要】
【発明が解決しようとする課題】
【０００６】
しかしながら、かかる構成の紙幣処理装置では、入金部の集積空間に収納可能な紙幣が最大収納枚数以下に制限される。このため、紙幣処理装置において使用者が最大収納枚数よりも多くの紙幣を入金したい場合、例えば入金された紙幣を全て取り込んだ後に、使用者に紙幣を追加投入する意図があるか否かを問い合わせ、所定の追加投入指示を受け付けた場合に、紙幣を再び入金部に投入させることが考えられる。或いは、紙幣処理装置が使用者に対して最大収納枚数以下の紙幣ごとに２回以上の入金取引を行わせることも考えられる。
【０００７】
しかしながら紙幣処理装置では、上述した何れの場合においても、使用者に対し、紙幣の追加投入や複数回の入金取引に関する操作指示を行わせる必要がある。すなわち紙幣処理装置では、大量の紙幣による入金取引を希望する使用者に対し、少数の紙幣を取引する場合と比較して煩雑な操作等を強いることになり、また入金取引を完了するまでに長い時間を要してしまう、という問題があった。
【０００８】
本発明は以上の点を考慮してなされたもので、使用者の手間を抑えながら、大量の媒体を取り込み得る媒体取込装置及び媒体処理装置を提案しようとするものである。
【課題を解決するための手段】
【０００９】
かかる課題を解決するため本発明の媒体取込装置においては、複数の媒体を所定の集積方向に沿って集積させる集積空間を形成する集積部と、集積部における集積方向と反対の反集積方向側に設けられ、集積空間に集積された媒体を１枚ずつに分離して取り込む分離取込部と、集積空間内で集積方向又は前記反集積方向へ移動可能であり、該集積空間内に集積された媒体を反集積方向に押圧する媒体押圧部と、閉塞状態において集積空間を外部の空間から遮蔽し、開放状態において集積空間を外部の空間と連通させるカバー部と、カバー部及び媒体押圧部のうち何れか一方を他方と連動させることにより、カバー部が開放状態である場合に媒体押圧部を集積空間の集積方向側に位置させ、カバー部が閉塞状態である場合に媒体押圧部により集積空間内の媒体を反集積方向に押圧させる連動部とを設けるようにした。
【００１０】
また本発明の媒体処理装置においては、媒体を取り込む媒体取込部と、媒体取込部により取り込まれた媒体を搬送する媒体搬送部と、搬送部により搬送された媒体を鑑別する鑑別部とを設け、媒体取込部には、複数の媒体を所定の集積方向に沿って集積させる集積空間を形成する集積部と、集積部における集積方向と反対の反集積方向側に設けられ、集積空間に集積された媒体を１枚ずつに分離して取り込む分離取込部と、集積空間内で集積方向又は前記反集積方向へ移動可能であり、該集積空間内に集積された媒体を反集積方向に押圧する媒体押圧部と、閉塞状態において集積空間を外部の空間から遮蔽し、開放状態において集積空間を外部の空間と連通させるカバー部と、カバー部及び媒体押圧部のうち何れか一方を他方と連動させることにより、カバー部が開放状態である場合に媒体押圧部を集積空間の集積方向側に位置させ、カバー部が閉塞状態である場合に媒体押圧部により集積空間内の媒体を反集積方向に押圧させる連動部とを設けるようにした。
【００１１】
本発明は、カバー部を開放状態又は閉塞状態に遷移させる開閉動作と、媒体押圧部を集積方向へ移動させてから反集積方向へ移動させて媒体を押圧させる押圧動作とを、連動部により連動させることができる。これにより本発明は、使用者に何れか一方の動作を行わせれば、これに連動して他方の動作を行うことができ、使用者に双方の動作をそれぞれ行わせる場合と比較して、使用者に行わせる作業を大幅に軽減できる。
【発明の効果】
【００１２】
本発明によれば、使用者の手間を抑えながら、大量の媒体を取り込み得る媒体取込装置及び媒体処理装置を実現できる。
【図面の簡単な説明】
【００１３】
【図１】紙幣処理装置の外観構成を示す略線的斜視図である。
【図２】紙幣処理装置の内部構成を示す略線図である。
【図３】受渡部の構成を示す略線的斜視図である。
【図４】第１の実施の形態における入金部の構成を示す略線的斜視図である。
【図５】第１の実施の形態における入金部の構成を示す略線図である。
【図６】第１の実施の形態におけるカバー部の構成及び開閉動作を示す略線図である。
【図７】第１の実施の形態における連動板及び連動ローラの連動を示す略線的斜視図である。
【図８】第１の実施の形態におけるバックアップ部の構成を示す略線的斜視図である。
【図９】第１の実施の形態による連動部の構成を示す略線図である。
【図１０】第１の実施の形態による連動部の構成を示す略線図である。
【図１１】第１の実施の形態における入金部の開閉動作及び押圧動作の連動（１）を示す略線図である。
【図１２】第１の実施の形態における入金部の開閉動作及び押圧動作の連動（２）を示す略線図である。
【図１３】第１の実施の形態における入金部の開閉動作及び押圧動作の連動（３）を示す略線図である。
【図１４】第１の実施の形態における入金部の開閉動作及び押圧動作の連動（４）を示す略線図である。
【図１５】第１の実施の形態における受渡部の構成を示す略線図である。
【図１６】第２の実施の形態における入金部の構成を示す略線図である。
【図１７】第２の実施の形態における入金部の開閉動作及び押圧動作の連動を示す略線図である。
【図１８】他の実施の形態における入金部の構成及び開閉動作及び押圧動作の連動を示す略線図である。
【図１９】他の実施の形態によるフレームローラの構成を示す略線図である。
【発明を実施するための形態】
【００１４】
以下、発明を実施するための形態（以下実施の形態とする）について、図面を用いて説明する。
【００１５】
［１．第１の実施の形態］
［１−１．紙幣処理装置の構成］
図１に示すように、第１の実施の形態による紙幣処理装置１は、例えば金融機関に設置される現金処理装置（いわゆるテラーマシン）であり、金融機関の職員や顧客（以下これを使用者と呼ぶ）の操作により、現金（特に紙幣）に関する入金取引や出金取引等の各種取引を行う。
【００１６】
以下では、紙幣処理装置１のうち使用者が対峙する正面側を前側とし、その反対を後側とし、前側から見た場合の左及び右をそれぞれ左側及び右側とし、さらに上側及び下側を定義して説明する。
【００１７】
媒体処理装置としての紙幣処理装置１は、大きく分けて下側の下部２及び上側の上部３により構成されている。下部２は、全体として直方体状に形成されており、媒体としての紙幣に関する種々の処理を行う部分が組み込まれている。下部２における上面の前寄りには、使用者との間で紙幣を受け渡す受渡部４が設けられている。
【００１８】
受渡部４は、下部２における後側部分の上面よりも上方に隆起しており、且つ手前側に対して奥側（後側）が高くなるよう緩やかに傾斜されている。これにより受渡部４は、下部２の前側に位置する使用者から容易にアクセスし得るように、すなわち使用者が紙幣の投入や取出を容易に行い得るようになっている。
【００１９】
上部３は、下部２における前後方向の中央付近から上方へ向けて立設されており、前後方向に短く上下方向に長い直方体状ないし板状に形成されている。上部３の前面における上側約半分の領域は、下側が前方へ飛び出るように傾斜されると共に、タッチパネル５が組み込まれている。タッチパネル５は、例えば液晶ディスプレイの表面にタッチセンサが組み込まれた構成でなり、種々の情報を表示して使用者に通知する他、所定の操作入力画面を表示して該使用者に種々の操作指示を入力させる。
【００２０】
因みに紙幣処理装置１は、例えば金融機関において、下部２における上部３の後面よりも後側の部分を壁面に埋め込むようにして、すなわち上部３の後面をこの壁面と対向させた状態で設置される。
【００２１】
紙幣処理装置１には、図２に模式的なブロック図を示すように、下部２における筐体１０の内部に、制御部１１、入金部１２、第１出金部１３、第２出金部１４、搬送部１５、鑑別部１６、一時保留部１７、複数の紙幣収納庫１８及びリジェクト庫１９が設けられている。
【００２２】
制御部１１は、紙幣処理装置１の全体を統括的に制御している。この制御部１１は、図示しないＣＰＵ（Central Processing Unit）を中心に構成され、図示しないＲＯＭやフラッシュメモリ等から所定のプログラムを読み出して実行することにより、入金処理や出金処理等のような種々の処理を行う。また制御部１１は、内部にＲＡＭ（Random Access Memory）、ハードディスクドライブやフラッシュメモリ等でなる記憶部を有しており、この記憶部に種々の情報やプログラム等を記憶させる。
【００２３】
媒体取込部及び媒体取込装置としての入金部１２は、受渡部４の最も後側、すなわち上部３の直前に配置されており、紙幣を収納する集積空間や、該集積空間から紙幣を１枚ずつに分離する分離部、及び該集積空間を外部から遮蔽するカバー等を有している（詳しくは後述する）。この入金部１２は、集積された紙幣が使用者により集積空間内に投入されると、これを１枚ずつに分離する分離処理を行って繰り出し、搬送部１５に引き渡す。
【００２４】
第１媒体排出部としての第１出金部１３は、受渡部４における前後方向の中央付近に位置している。この第１出金部１３は、紙幣を集積した状態で収納する第１排出媒体集積空間としての集積空間１３Ｓや、搬送部１５から受け取った紙幣を集積空間１３Ｓ内へ放出する放出部１３Ｅ、及び所定のアクチュエータにより開閉可能な第１排出カバーとしてのカバー１３Ｃ等を有している。この第１出金部１３は、搬送部１５から紙幣が搬送されてくると、カバー１３Ｃを閉塞した状態で、放出部１３Ｅにより紙幣を集積空間１３Ｓ内へ放出して集積させた後、該カバー１３Ｃを開放して使用者に紙幣を取り出させる。
【００２５】
第２媒体排出部としての第２出金部１４は、第１出金部１３の集積空間１３Ｓ、放出部１３Ｅ及びカバー１３Ｃとそれぞれ対応する第２排出媒体集積空間としての集積空間１４Ｓ、放出部１４Ｅ及び第２排出カバーとしてのカバー１４Ｃを有している。カバー１４Ｃは、左右方向に３分割されており、このうち左右の両外側に位置する部分が所定のアクチュエータにより一体に開閉され、中央に位置する部分が使用者により手動で開閉されるようになっている。
【００２６】
搬送部１５は、筐体１０内の各部を結ぶ搬送路Ｙに沿って配置された各種ローラやベルト、並びにこれらを駆動するためのギアやモータ等により構成されている。また搬送部１５は、搬送路の分岐点に図示しない切替器を適宜配置している。この搬送部１５は、制御部１１の制御に基づき、搬送路に沿って紙幣を搬送すると共に、切替器により当該紙幣の搬送先を切り替える。因みに図２では、搬送部１５を構成する部品の一部のみを模式的に示している。
【００２７】
鑑別部１６は、入金部１２の後方下側であって、搬送部１５の搬送路Ｙ上に配置されている。この鑑別部１６は、種々のセンサを有しており、搬送部１５により搬送されてくる紙幣の金種、真偽、正損、走行状態などを基に、取り扱うことのできる取扱可能紙幣であるか否かを鑑別し、その鑑別結果を制御部１１へ送出する。また鑑別部１６は、紙幣における損傷の程度を基に、再利用することができる再利用可能紙幣であるか否かを鑑別し、その鑑別結果を制御部１１へ送出することもできる。
【００２８】
一時保留部１７は、第２出金部１４の前方下側に配置されており、搬送部１５により搬送されてきた紙幣を内部に一時的に収納（保留）し、また保留している紙幣を１枚ずつ搬送部１５へ繰り出す。
【００２９】
各紙幣収納庫１８は、内部に紙幣を集積した状態で収納する集積空間や、搬送部１５から搬送されてきた紙幣を該集積空間内へ放出して集積させる放出機構、及び集積空間内に集積されている紙幣を１枚ずつに分離して繰り出し、搬送部１５に引き渡す分離機構等を有している。この紙幣収納庫１８は、搬送部１５から搬送されてくる紙幣（正常紙幣）を上下方向に重ねて内部に収納し、また収納している紙幣を１枚ずつ繰り出して搬送部１５へ引き渡す。
【００３０】
リジェクト庫１９は、内部に紙幣を収納する集積空間や、搬送部１５から搬送されてきた紙幣を該集積空間内へ放出して集積させる放出機構等を有している。このリジェクト庫１９は、鑑別部１６において再利用不可能と鑑別された紙幣（リジェクト紙幣）が搬送部１５により搬送されてくると、内部に収納する。
【００３１】
かかる構成により紙幣処理装置１は、使用者からタッチパネル５を介して入金取引を開始する操作を受け付けると、制御部１１において所定の入金プログラムを読み出して実行することにより、入金処理を開始する。
【００３２】
具体的に制御部１１は、第２出金部１４のカバー１４Ｃにおける外側部分を開放した上で、タッチパネル５に所定のメッセージを表示することにより、使用者に紙幣を入金部１２の集積空間内へ投入させ、分離処理によりこの紙幣を１枚ずつ分離して搬送部１５へ順次引き渡す。搬送部１５は、この紙幣を搬送路Ｙに沿って鑑別部１６へ順次搬送する。
【００３３】
続いて制御部１１は、鑑別部１６により各紙幣が取扱可能紙幣であるか否かを鑑別させ、その鑑別結果を基に、取扱可能紙幣を搬送部１５により一時保留部１７へ搬送して収納させる一方、取り扱うことができないと鑑別された紙幣（以下これを入金リジェクト紙幣又はリジェクト媒体と呼ぶ）を第２出金部１４へ搬送して収納させる。
【００３４】
その後制御部１１は、鑑別した紙幣の枚数や合計金額等をタッチパネル５に表示し、使用者に入金取引を継続するか否かを問い合わせる。ここで使用者から入金取引の継続が指示されると、制御部１１は一時保留部１７に収納されている紙幣を順次繰り出して搬送部１５により搬送させ、再度鑑別部１６において金種及び損傷の程度を鑑別させる。続いて制御部１１は、再利用可能と鑑別された紙幣をその金種に応じた紙幣収納庫１８へ搬送して収納させる一方、再利用できないと鑑別された紙幣（リジェクト紙幣）をリジェクト庫１９へ搬送して収納させる。
【００３５】
また紙幣処理装置１は、使用者からタッチパネル５を介して出金取引を開始する操作を受け付けると、制御部１１において所定の出金プログラムを読み出して実行することにより、出金処理を開始する。具体的に紙幣処理装置１の制御部１１は、タッチパネル５を介して使用者に出金額を指定させる。これに応じて制御部１１は、出金する紙幣の金種及び枚数を決定する。また制御部１１は、第１出金部１３又は第２出金部１４の何れか一方を選択して選択出金部とする。
【００３６】
次に制御部１１は、各紙幣収納庫１８から出金額に応じた金種及び枚数の紙幣を順次繰り出し、これを搬送部１５により選択出金部へ順次搬送させ、該選択出金部において集積空間内に紙幣を順次放出して集積させる。その後制御部１１は、全ての紙幣を選択出金部へ搬送し終えると、選択出金部のカバー（１３Ｃ又は１４Ｃ）を開放して紙幣を使用者に取り出させる。
【００３７】
このように紙幣処理装置１は、入金処理において入金部１２に紙幣を投入させ、これを１枚ずつに分離して取り込むようになっている。
【００３８】
［１−２．入金部の構成］
次に、入金部１２の構成について説明する。入金部１２は、図２に示したように、その一部が受渡部４における筐体１０の上面よりもさらに上方に突出すると共に、残りの部分が筐体１０の内部に埋め込まれている。
【００３９】
図３（Ａ）に拡大した斜視図を示すように、入金部１２における受渡部４の上面よりも上方に突出した部分は、側カバー部２１及び中央カバー部２２により入金機構部２３の周囲が覆われている。側カバー部２１及び中央カバー部２２は、全体として、中心軸を左右方向に沿わせた三角柱のような形状を形成しており、さらに前面部分や上端の稜線近傍が丸みを帯びている。
【００４０】
側カバー部２１は、上方に突出した部分のうち左右の両側面及びその近傍部分を占めており、筐体１０に固定されている。一方、中央カバー部２２は、左右それぞれの側カバー部２１の間に挟まれた部分を占めており、図３（Ｂ）に示すように、後側に設けられた回動軸（詳しくは後述する）を中心として、筐体１０に対し回動可能に構成されている。
【００４１】
すなわち中央カバー部２２は、回動することにより、入金部１２の内部を外部から遮蔽（すなわち閉塞）した閉塞状態（図３（Ａ））と、入金部１２の内部における前側部分を外部と連通（すなわち開放）させた開放状態（図３（Ｂ））とに遷移することができる。
【００４２】
入金部１２は、側カバー部２１が取り外されると、図４（Ａ）及び（Ｂ）に示すように、内部に組み込まれている入金機構部２３の一部を周囲に露出させた状態となる。因みに図４（Ａ）及び（Ｂ）は、それぞれ入金部１２から筐体１０及び側カバー部２１を省略した上で、中央カバー部２２を開放状態及び閉塞状態とした様子を表している。
【００４３】
［１−２−１．入金機構部の構成］
集積部としての入金機構部２３（図４（Ａ））は、大きく分けて、底部２５、背部２６、左側部２７及び右側部２８、並びにバックアップ部２９により構成されている。また入金機構部２３は、この底部２５、背部２６、左側部２７及び右側部２８により下側、後側、左側及び右側をそれぞれ囲むようにして、集積空間３０を形成している。
【００４４】
図５に模式的な側面図を示すように、底部２５は、入金機構部２３における下側部分に位置しており、その上面が概ね平坦なフロアガイド３１となっており、後面が底部搬送ガイド３２となっている。因みに図５では、説明の都合上、中央カバー部２２及び左側部２７を省略している。
【００４５】
このフロアガイド３１は、その上側に、紙面を上下に向けた姿勢で集積された複数の紙幣、すなわち束ねられた状態の紙幣が載置されることが想定された載置面となっている。またフロアガイド３１は、後側よりも前側のほうが高くなるように傾斜されており、集積された紙幣を後側の背部２６に寄りかからせることになる。底部搬送ガイド３２は、法線を後方向ないし後斜め上方向に向けた平面となっている。説明の都合上、以下では、上方向を集積方向とも呼び、また下方向を反集積方向とも呼ぶ。
【００４６】
底部２５内における上寄りの部分には、前後方向のほぼ中央付近にピッカローラ３３が設けられると共に、その後端にフィードローラ３４が設けられている。ピッカローラ３３は、中心軸を左右方向に沿わせた扁平な円柱状に形成されており、その周側面における一部分に、紙幣に対する摩擦力が高い高摩擦部材が取り付けられている。またピッカローラ３３は、中心部分においてピッカローラ中心軸３３Ｘに挿通されており、図示しないモータから駆動力が供給されると、このピッカローラ中心軸３３Ｘと一体に矢印Ｒ２方向へ、すなわち図５における反時計回りに回転する。
【００４７】
因みに底部２５には、図４（Ａ）に示したように、左右方向に沿って所定間隔ごとに複数のピッカローラ３３が配置されている。各ピッカローラ３３は、何れもピッカローラ中心軸３３Ｘ（図５）に挿通されると共に、フロアガイド３１に適宜形成された孔部を介して、それぞれの上端近傍を該フロアガイド３１よりも上側に突出させている。
【００４８】
フィードローラ３４（図５）は、ピッカローラ３３と同様、中心軸を左右方向に沿わせた扁平な円柱状に形成されており、その周側面における一部分に、紙幣に対する摩擦力が高い高摩擦部材が取り付けられている。またフィードローラ３４は、やはりピッカローラ３３と同様、中心部分においてフィードローラ中心軸３４Ｘに挿通されており、図示しないモータから駆動力が供給されると、このフィードローラ中心軸３４Ｘと一体に矢印Ｒ２方向へ、すなわち図５における反時計回りに回転する。
【００４９】
因みに底部２５には、図４（Ａ）に示したように、左右方向に沿って所定間隔ごとに複数のフィードローラ３４が配置されている。各フィードローラ３４は、何れもフィードローラ中心軸３４Ｘ（図５）に挿通されると共に、フロアガイド３１に適宜形成された孔部を介して、それぞれの上端近傍を該フロアガイド３１よりも上側に突出させている。
【００５０】
背部２６（図５）は、入金機構部２３における後側部分に位置しており、その前面における上側約２／３の部分が概ね平坦なフロントガイド３６となっており、その下側が背部搬送ガイド３７となっている。フロントガイド３６は、上側よりも下側が先方に位置するように傾斜しており、フロアガイド３１に対して約９０度の角度をなしている。
【００５１】
このフロントガイド３６は、その前側に、紙面を上下に向けた姿勢で集積された複数の紙幣における後側部分、すなわち各紙幣における後端部分と当接若しくは近接することにより、この集積された紙幣を支えることが想定されている。
【００５２】
背部搬送ガイド３７は、法線を前方向ないし前斜め下方向に向けた平面となっており、フロントガイド３６よりも後側に位置している。この背部搬送ガイド３７は、底部２５の底部搬送ガイド３２との間に所定の隙間を形成しており、この隙間に沿って紙幣を下方向へ案内することができる。
【００５３】
背部２６におけるフロントガイド３６及び背部搬送ガイド３７の間には、ゲートローラ３８が設けられている。このゲートローラ３８は、フィードローラ３４等と同様に、中心軸を左右方向に沿わせた扁平な円柱状に形成されている。このゲートローラ３８は、フィードローラ３４との間に、紙幣を１枚のみ通過させ得るような狭い隙間を形成している。説明の都合上、以下では、フィードローラ３４及びゲートローラ３８をまとめて分離取込部３９と呼び、両者の隙間をゲート３９Ｇと呼ぶ。
【００５４】
左側部２７（図４（Ａ））は、底部２５の左側ないし上側であって、背部２６の左側ないし前側に位置しており、固定された左サイドフレーム４１Ｌを有している。この左サイドフレーム４１Ｌは、全体として左右方向に薄い板状になっている。
【００５５】
左サイドフレーム４１Ｌには、背部２６のフロントガイド３６よりも前側に、概ね上下方向に沿った、すなわち集積方向に沿った長孔でなる左サイドフレーム溝４２Ｌが形成されている。集積方向溝としての左サイドフレーム溝４２Ｌは、その長軸がフロントガイド３６の前面とほぼ平行となるように、すなわち上側よりも下側が前方に位置するように、鉛直方向に対してやや傾斜されている。また左サイドフレーム４１Ｌの右側面は、少なくとも左サイドフレーム溝４２Ｌの周辺部分において、平坦に形成されている。
【００５６】
左サイドフレーム４１Ｌの右側、すなわち入金機構部２３における中心側には、左サイドガイド４３Ｌが設けられている。左サイドガイド４３Ｌは、全体として左右方向に薄く上下方向に長い板状に形成されており、背部２６のフロントガイド３６及び底部２５のフロアガイド３１に取り付けられている。因みに入金機構部２３では、フロントガイド３６及びフロアガイド３１に対する左サイドガイド４３Ｌの取付位置を、左右方向に調整し得るようになっている。
【００５７】
左サイドガイド４３Ｌは、その右側面が平坦な平面状に形成されており、さらに左サイドフレーム溝４２Ｌのほぼ左側に、概ね上下方向に沿った長孔でなる左サイドガイド溝４４Ｌが形成されている。この左サイドガイド溝４４Ｌは、その長軸が該左サイドフレーム溝４２Ｌの長軸と平行であり、またその短軸が該左サイドフレーム溝４２Ｌの短軸よりもやや長くなっている。
【００５８】
右側部２８（図４（Ａ）及び図５）は、左側部２７とほぼ左右対称に構成されており、左サイドフレーム４１Ｌ、左サイドフレーム溝４２Ｌ、左サイドガイド４３Ｌ及び左サイドガイド溝４４Ｌとそれぞれほぼ左右対称な右サイドフレーム４１Ｒ、右サイドフレーム溝４２Ｒ、右サイドガイド４３Ｒ及び右サイドガイド溝４４Ｒを有している。
【００５９】
因みに入金部１２では、上述した集積空間３０内に、すなわち底部２５におけるフロアガイド３１の上側且つ背部２６におけるフロントガイド３６の前側に、紙面を上下方向に向けた姿勢で集積された紙幣を収納するようになっている。この集積空間３０における左端及び右端は、左サイドガイド４３Ｌの右側面及び右サイドガイド４３Ｒの左側面により規定されている。
【００６０】
実際上、入金部１２では、紙幣における長辺の長さに合わせて左サイドガイド４３Ｌ及び右サイドガイド４３Ｒの取付位置が適切に調整されており、これにより紙幣の左右方向に関する位置をできるだけ中央に揃えた状態で取り込むようになっている。
【００６１】
説明の都合上、以下では、左サイドフレーム４１Ｌ及び右サイドフレーム４１Ｒをまとめてサイドフレーム４１又は集積側部と呼び、左サイドフレーム溝４２Ｌ及び右サイドフレーム溝４２Ｒをまとめてサイドフレーム溝４２又は集積方向溝と呼ぶ。また以下では、左サイドガイド４３Ｌ及び右サイドガイド４３Ｒをまとめてサイドガイド４３と呼び、左サイドガイド溝４４Ｌ及び右サイドガイド溝４４Ｒをまとめてサイドガイド溝４４と呼ぶ。
【００６２】
［１−２−２．中央カバー部の構成］
次に、中央カバー部２２（図４（Ａ））の構成について説明する。カバー部としての中央カバー部２２は、図６（Ａ）に模式的な側面図を示すように、入金機構部２３の主に上側部分を覆うカバー本体部５１を中心に構成されている。
【００６３】
カバー本体部５１は、光透過性の高い、すなわち透明度の高い樹脂材料により構成されており、入金機構部２３の前側におけるフロアガイド３１近傍の箇所から上側を経て後側の中央付近に至るような曲面と、その左右両側を覆う平面とにより構成されている。またカバー本体部５１における前面の下寄りには、つまみ５１Ｔが設けられている。
【００６４】
カバー本体部５１の後側には、カバーフレーム５２が取り付けられている。カバーフレーム５２は、カバー本体部５１における後側面部分の下端よりも下方へ延設されており、その下端近傍に、左右方向に貫通する丸孔でなる軸孔が穿設されている。一方、背部２６の背面には、軸受部５４が取り付けられている。この軸受部５４には、左右方向に貫通する丸孔でなる軸孔が穿設されている。さらに、カバーフレーム５２及び軸受部５４の軸孔には、中心軸を左右方向に沿わせた細長い円柱状に形成されたカバー回動軸５３がそれぞれ挿通されている。因みに軸受部５４には、図示しないトルクリミッタが組み込まれている。
【００６５】
かかる構成により中央カバー部２２は、入金機構部２３や筐体１０（図３）等に対し、カバー回動軸５３を中心として回動することができる。例えば中央カバー部２２は、矢印Ｒ１方向（すなわち時計回り）に最も回動した場合、図６（Ａ）に示したように、入金機構部２３の前側にカバー本体部５１の前側部分を位置させ、集積空間３０を外部から遮蔽した閉塞状態となる。
【００６６】
入金部１２は、図３（Ａ）に示したように、中央カバー部２２が閉塞状態であるとき、カバー本体部５１の前下端が筐体１０の一部分と極めて近接若しくは当接させている。これにより入金部１２は、この閉塞状態において、入金機構部２３に対する前側からのアクセスを阻止している。その一方で入金部１２は、カバー本体部５１が透明な樹脂材料により構成されているため、使用者等に対し、入金機構部２３や収納されている紙幣の様子を目視させることができる。
【００６７】
一方、中央カバー部２２は、閉塞状態において使用者によりカバー本体部５１のつまみ５１Ｔに対して上後方へ向かう力が加えられると、カバー回動軸５３を中心として矢印Ｒ２方向（すなわち反時計回り）に回動する。中央カバー部２２は、矢印Ｒ２方向に最も回動された場合、図６（Ｂ）に示すように、入金機構部２３の上側にカバー本体部５１の前側部分を位置させ、集積空間３０を外部と連通させた、すなわち開放した開放状態となる。
【００６８】
また中央カバー部２２には、カバー本体部５１における左側板の下端近傍に、左連動レバー５５Ｌが設けられている。左連動レバー５５Ｌは、概ね前後方向に長く左右方向に薄い板状でなる連動レバー本体部６１を中心に構成されている。連動レバー本体部６１は、その後端近傍において、カバー本体部５１における左側板の内側（すなわち右側）に取り付けられている。
【００６９】
また図７に斜視図を示すように、連動レバー本体部６１の下辺における前端近傍には、右方向へ向けて、すなわち左側部２７の左サイドフレーム４１Ｌがある方向へ向けて、連動板６２が延設されている。カバー部連動体としての連動板６２は、上下方向に薄い板状に形成されており、また左サイドフレーム４１Ｌから十分に離れている。因みに図７では、説明の都合上、左側部２７の左サイドフレーム４１Ｌ及び左サイドガイド４３Ｌを省略している。
【００７０】
この左連動レバー５５Ｌは、例えば十分な厚さを有する金属板に対し、所定形状への切削加工及び屈曲加工がなされることにより、連動レバー本体部６１及び連動板６２が形成されている。このため左連動レバー５５Ｌは、十分な強度を有しており、外力が加えられた場合にもその形状を良好に維持することができる。
【００７１】
さらに連動レバー本体部６１の前端近傍における左側には、左方向へ向けてロックポスト６３が立設されている。ロックポスト６３は、中心軸を左右方向に沿わせた円柱状に形成されており、左右方向に沿った中心軸の長さ及び直径が、何れも十分に小さくなっている。
【００７２】
一方、入金機構部２３の左側部には、左ロックレバー回動軸５６Ｌを介して左ロックレバー５７Ｌ（図６（Ａ））が設けられている。左ロックレバー回動軸５６Ｌは、中心軸を左右方向に沿わせた円柱状に形成されており、制御部１１の制御に従い、入金機構部２３の底部２５に組み込まれたアクチュエータ（図示せず）により回動する。
【００７３】
左ロックレバー５７Ｌは、全体として上下方向に長く左右方向に薄い板状に形成されたロックレバー本体部６６を中心に構成されている。このロックレバー本体部６６は、その下端近傍において、左ロックレバー回動軸５６Ｌが挿通されている。またロックレバー本体部６６の前辺における上端近傍には、前方に突出したロック爪６７が設けられている。
【００７４】
左ロックレバー５７Ｌは、図６（Ａ）に実線で示したように、中央カバー部２２が閉塞状態であるとき、左ロックレバー回動軸５６Ｌを中心として矢印Ｒ１方向（すなわち時計回り）に回動することにより、ロック爪６７を左連動レバー５５Ｌのロックポスト６３に係合させる。これにより入金部１２は、中央カバー部２２を閉塞状態に保持することができる。
【００７５】
一方、左ロックレバー５７Ｌは、図６（Ａ）に破線で示したように、左ロックレバー回動軸５６Ｌを中心として矢印Ｒ２方向（すなわち反時計回り）に回動することにより、ロック爪６７を左連動レバー５５Ｌのロックポスト６３から引き離す。これにより入金部１２は、使用者の操作により中央カバー部２２を閉塞状態から開放状態へ遷移させ得るようになる。
【００７６】
因みに、カバー本体部５１における右側板の下端近傍には、左連動レバー５５Ｌと左右対称に構成された右連動レバー５５Ｒが設けられている。また入金機構部２３の右側部には、左ロックレバー回動軸５６Ｌ及び左ロックレバー５７Ｌとそれぞれ左右対称に構成された右ロックレバー回動軸５６Ｒ及び右ロックレバー５７Ｒが設けられている。
【００７７】
このため入金部１２では、右側部分においても、左側部分と同様に、右ロックレバー５７Ｒのロック爪６７を右連動レバー５５Ｒのロックポスト６３に係合させ、或いはこの係合を解除することができる。説明の都合上、以下では左連動レバー５５Ｌ及び右連動レバー５５Ｒをまとめて連動レバー５５とも呼び、また左ロックレバー回動軸５６Ｌ及び右ロックレバー回動軸５６Ｒをまとめてロックレバー回動軸５６と呼び、さらに左ロックレバー５７Ｌ及び右ロックレバー５７Ｒをまとめてロックレバー５７とも呼ぶ。
【００７８】
［１−２−３．バックアップ部の構成］
次に、バックアップ部２９（図４（Ａ））の構成について説明する。媒体押圧部としてのバックアップ部２９は、図８に斜視図を示すように、直方体状のバックアップ本体部７１を中心に構成されている。バックアップ本体部７１は、中空の直方体状に構成されており、下面が開放されている。
【００７９】
バックアップ本体部７１の下側には、バックアップ当接部７２が設けられている。バックアップ当接部７２は、バックアップ本体部７１よりも小さい中空の直方体状に構成されており、その上面が開放されている。因みにバックアップ当接部７２は、図示しないスプリングを介してバックアップ本体部７１に取り付けられている。
【００８０】
バックアップ本体部７１の左辺における前後方向のほぼ中央には、左バックアップ腕部７３Ｌが設けられている。左バックアップ腕部７３Ｌは、水平腕部８１及び垂直腕部８２を有している。水平腕部８１は、全体として上下方向に薄く左右方向に長い薄板状に構成されており、その上面がバックアップ本体部７１の上面部分と連続した平面を形成している。垂直腕部８２は、全体として左右方向に薄く上下方向に長い薄板状に構成されており、水平腕部８１の左端から下方へ向けて垂設されている。
【００８１】
因みに水平腕部８１及び垂直腕部８２における前後方向の長さは、左側部２７（図４（Ａ））の左サイドガイド溝４４Ｌにおける短軸の長さよりも短く、且つ左サイドフレーム溝４２Ｌにおける短軸の長さよりも長くなっている。
【００８２】
垂直腕部８２の左側面には、左サイドフレーム４１Ｌ（図４（Ａ））に対する摩擦係数が小さいスライダ８３が取り付けられている。このスライダ８３は、上下方向及び前後方向の長さが、垂直腕部８２とほぼ同等となっている。
【００８３】
スライダ８３の左側面には、上寄り及び下寄りの２箇所に、ローラ回転軸８４及び８５がそれぞれ設けられている。ローラ回転軸８４は、中心軸を左右方向に沿わせた細長い円柱状に形成されており、スライドローラ８６が挿通されている。
【００８４】
溝ローラとしてのスライドローラ８６は、中心軸を左右方向に沿わせた円筒状に形成されており、その中心部分においてローラ回転軸８４に挿通された状態で支持され、該ローラ回転軸８４に対して自在に回転し得る。このスライドローラ８６における左右方向の長さは、左サイドフレーム４１Ｌにおける左サイドフレーム溝４２Ｌの近傍部分の厚さ（すなわち左右方向の長さ）よりも十分に長くなっている。またスライドローラ８６の直径は、左サイドフレーム溝４２Ｌの短軸（すなわち前後方向の間隔）よりも僅かに短くなっている。
【００８５】
ローラ回転軸８５は、ローラ回転軸８４と同様に中心軸を左右方向に沿わせた細長い円柱状に形成されているものの、その長さが該ローラ回転軸８４よりも長くなっている。このローラ回転軸８５には、スライドローラ８７に加えて連動ローラ８８が挿通されている。
【００８６】
溝ローラとしてのスライドローラ８７は、スライドローラ８６と同様に構成されており、その中心部分においてローラ回転軸８５に挿通された状態で支持され、該ローラ回転軸８５に対して自在に回転し得る。因みにスライドローラ８７は、スライドローラ８６のほぼ真下に位置している。
【００８７】
媒体押圧部連動体としての連動ローラ８８は、スライドローラ８６及び８７と同様の円筒状に形成されている。また連動ローラ８８は、スライドローラ８７と同様にローラ回転軸８５により回転可能に支持されており、該スライドローラ８７から独立して、自在に回転することができる。
【００８８】
因みにバックアップ部２９には、バックアップ本体部７１の右辺における前後方向のほぼ中央に、左バックアップ腕部７３Ｌと左右対称に構成された右バックアップ腕部７３Ｒが設けられている。また説明の都合上、左バックアップ腕部７３Ｌ及び右バックアップ腕部７３Ｒをまとめてバックアップ腕部７３とも呼ぶ。
【００８９】
ところでバックアップ部２９は、図８に示したように組み立てられた後、図４（Ａ）等に示したように、入金機構部２３の集積空間３０内に組み込まれる。このときバックアップ部２９は、左バックアップ腕部７３Ｌ及び右バックアップ腕部７３Ｒを、左側部２７及び右側部２８にそれぞれ組み込ませる。
【００９０】
具体的に左バックアップ腕部７３Ｌは、図９に拡大した模式図を示すように、入金機構部２３の組立時等に、左端側から、左側部２７における左サイドガイド４３Ｌの左サイドガイド溝４４Ｌ（図４（Ａ））に挿通される。これにより左バックアップ腕部７３Ｌは、垂直腕部８２、スライダ８３、スライドローラ８６及び８７並びに連動ローラ８８を左サイドガイド４３Ｌよりも左側に、すなわち集積空間３０の外側に位置させる。
【００９１】
続いて左バックアップ腕部７３Ｌは、左端側から、左サイドフレーム４１Ｌの左サイドフレーム溝４２Ｌに挿通される。このとき左バックアップ腕部７３Ｌは、連動ローラ８８を左サイドフレーム４１Ｌよりも左側に突き抜けさせた上で、図１０に示すようにスライドローラ８６及び８７を左サイドフレーム溝４２Ｌ内に入り込ませて、スライダ８３（図９）の左側面を左サイドフレーム４１Ｌの右側面に当接させる。
【００９２】
因みにバックアップ部２９の右バックアップ腕部７３Ｒ（図８）は、左バックアップ腕部７３Ｌと左右対称となるように、右側部２８（図４（Ａ））に組み込まれる。
【００９３】
この結果、バックアップ部２９は、左右それぞれにおいて、バックアップ腕部７３のスライドローラ８６及び８７をサイドフレーム溝４２にそれぞれ入り込ませ、且つスライダ８３をサイドフレーム４１の内側面に当接させた状態となる（図９）。これによりバックアップ部２９は、図４（Ａ）に示したように、バックアップ本体部７１の上面やバックアップ当接部７２の下面を底部２５のフロアガイド３１とほぼ平行とすることができる。
【００９４】
またバックアップ部２９は、左右のサイドフレーム４１によりスライダ８３を介して挟まれており、また上下方向に離れたスライドローラ８６及び８７をサイドフレーム溝４２の内側面に対してそれぞれ当接若しくは極めて近接させている（図１０）。
【００９５】
このためバックアップ部２９は、スライドローラ８６及び８７をサイドフレーム溝４２内で摺動又は回転させ、且つスライダ８３をサイドフレーム４１に摺動させながら、上下方向へ自在に移動することができる。このときバックアップ部２９は、その姿勢を殆ど変化させること無く、すなわちバックアップ本体部７１の上面やバックアップ当接部７２の下面を底部２５のフロアガイド３１とほぼ平行に保ったまま、上下方向へ移動することができる。
【００９６】
バックアップ部２９は、外力が加えられていなければ、重力の作用により、下方向へ移動しようとする。このためバックアップ部２９は、集積空間３０内に紙幣が集積されていなければ、バックアップ当接部７２の下面をピッカローラ３３（図５）の上端近傍に当接させる。
【００９７】
またバックアップ部２９は、集積空間３０内に紙幣が集積されていれば、該紙幣の上側に載置された状態となり、その自重を紙幣に作用させて、この紙幣を下方向（すなわち反集積方向）へ押圧することができる。
【００９８】
［１−３．中央カバー部の開閉動作及びバックアップ部の押圧動作の連動］
かかる構成に加えて入金部１２では、中央カバー部２２の回動による開閉動作と、バックアップ部２９の上下方向への移動による押圧動作とを連動させるようになっている。ここでは、まず中央カバー部２２の左連動レバー５５Ｌとバックアップ部２９の左バックアップ腕部７３Ｌを連動させる様子について説明する。
【００９９】
図９に示したように、左バックアップ腕部７３Ｌは、連動ローラ８８を左サイドフレーム４１Ｌの左側面よりも左側に突出させている。この状態で入金部１２は、その製造時等に、入金機構部２３に中央カバー部２２が取り付けられる。
【０１００】
このとき中央カバー部２２の左連動レバー５５Ｌは、連動板６２が連動ローラ８８よりも下側に位置するように組み付けられ、さらに該連動板６２の右端における左右方向の位置が、連動ローラ８８における周側面の範囲内に合わされる。すなわち左連動レバー５５Ｌは、連動板６２における右端側の一部分を、連動ローラ８８の真下に位置させる。また中央カバー部２２の右連動レバー５５Ｒは、左連動レバー５５Ｌの場合と同様、連動板６２の一部分を連動ローラ８８の真下に位置させる。
【０１０１】
これにより入金部１２では、中央カバー部２２の回動と、バックアップ部２９の上下方向への移動とを連動させることが可能となる。そこで以下では、左連動レバー５５Ｌの連動板６２と、左バックアップ腕部７３Ｌの連動ローラ８８とをまとめて、左連動部９０Ｌと呼ぶ。これと同様に、右連動レバー５５Ｒの連動板６２と、右バックアップ腕部７３Ｒの連動ローラ８８とをまとめて、右連動部９０Ｒと呼ぶ。さらに以下では、左連動部９０Ｌ及び右連動部９０Ｒをまとめて、連動部９０とも呼ぶ。
【０１０２】
次に、入金部１２における中央カバー部２２の回動とバックアップ部２９の上下方向への移動とが連動する様子を、段階的に説明する。
【０１０３】
まず図１１（Ａ）及び（Ｂ）に示すように、入金部１２において中央カバー部２２が閉塞状態であり、且つ集積空間３０内に紙幣が収納されていない場合、すなわち入金機構部２３においてバックアップ部２９が集積空間３０内で最も下側に位置している場合を想定する。因みに図１１（Ａ）及び（Ｂ）は、入金部１２の左側面図及び正面図を模式的に表したものであり、一部の部品を省略若しくは簡略化している。
【０１０４】
このとき連動部９０は、各連動レバー５５の連動板６２を、各バックアップ腕部７３の連動ローラ８８から下方に引き離している。すなわちこのとき入金部１２では、中央カバー部２２及びバックアップ部２９が連動していない。
【０１０５】
次に図１２（Ａ）及び（Ｂ）に示すように、使用者から中央カバー部２２に対してつまみ５１Ｔ等を介して上後方向へ力が加えられ、中央カバー部２２が閉塞状態から僅かに矢印Ｒ２方向（図１２（Ａ）における反時計回り）に回動した場合を想定する。
【０１０６】
このとき連動部９０は、各連動レバー５５の連動板６２を、各バックアップ腕部７３の連動ローラ８８における下端近傍に当接させる。これにより連動部９０は、いわば連動板６２及び連動ローラ８８の連動を開始した状態となり、中央カバー部２２に加えられる力をバックアップ部２９に伝達し得る状態となる。
【０１０７】
ここで中央カバー部２２は、さらに使用者からつまみ５１Ｔ等を介して上後方向へ力が加えられると、さらに矢印Ｒ２方向へ回動し、これに伴って各連動レバー５５の連動板６２を主に上方向へ変位させていく。このとき連動部９０は、連動板６２及び連動ローラ８８の連動を継続する。
【０１０８】
これによりバックアップ部２９は、連動ローラ８８を介して上方向へ向かう力が加えられ、集積空間３０内を上方向へ移動していく。すなわち入金機構部２３では、バックアップ部２９のバックアップ当接部７２の下面がフロアガイド３１から引き離されていき、該バックアップ当接部７２及び該フロアガイド３１の間に形成される空間を上下方向に拡張していく。
【０１０９】
因みに連動部９０では、中央カバー部２２の回動に伴って連動板６２が前後方向に変位するため、該連動板６２における連動ローラ８８の当接箇所も前後方向に変位する。しかしながら連動ローラ８８は、回動軸８５を中心として回動し得るため、連動板６２との間に摩擦力を作用させることが無く、中央カバー部２２の回動を阻害することも無い。
【０１１０】
やがて入金部１２は、図１３（Ａ）及び（Ｂ）に示すように、中央カバー部２２が矢印Ｒ２方向へ最も回動された開放状態に遷移される。このときも連動部９０は、引き続き連動板６２及び連動ローラ８８を連動させている。また入金機構部２３では、図１０に示したように、バックアップ部２９のバックアップ腕部７３における上側のスライドローラ８６がサイドフレーム溝４２の上端に到達し、該バックアップ部２９が最も上側に到達する。
【０１１１】
このとき入金部１２では、図４（Ａ）に示したように、集積空間３０におけるバックアップ当接部７２の下面とフロアガイド３１との間に、十分な高さの空間が形成される。これにより入金部１２は、使用者に対し、この集積空間３０内へ紙幣の束を投入させることができる。
【０１１２】
因みに紙幣処理装置１には、入金部１２に対し、最大で３００枚の紙幣を投入できることが要求されている。そこで入金部１２では、中央カバー部２２が開放状態でありバックアップ部２９が最も上方に持ち上げられたときに、集積空間３０内に最大で３００枚の紙幣を集積し得るよう、各部の長さが適切に設定されている。
【０１１３】
またこのとき入金部１２では、中央カバー部２２における前面部分の下端を、バックアップ部２９における前面部分の前側に位置させており、両者の間に隙間を形成しないようになっている。これにより入金部１２では、使用者が誤って紙幣をバックアップ部２９の上側に投入してしまうことを未然に防止している。さらに中央カバー部２２は、軸受部５４に組み込まれたトルクリミッタの作用により、使用者がつまみ５１Ｔから手を離しても、開放状態を維持できる。これに伴いバックアップ部２９は、上方に持ち上げられた状態を維持できる。
【０１１４】
今度は、使用者から中央カバー部２２に対してつまみ５１Ｔ等を介して前下方向へ力が加えられ、該中央カバー部２２が開放状態から矢印Ｒ１方向（図１３（Ａ）における時計回り）に回動する場合、すなわち集積空間３０を徐々に閉塞していく場合を想定する。
【０１１５】
この場合、中央カバー部２２は、各連動レバー５５の連動板６２を主に下方向へ変位させていく。このときも連動部９０は、引き続き連動板６２及び連動ローラ８８を連動させている。このためバックアップ部２９は、連動ローラ８８を支える連動板６２が下方向へ移動することに伴い、集積空間３０内を下方向へ移動していく。
【０１１６】
やがて入金部１２では、図１４（Ａ）及び（Ｂ）に示すように、バックアップ部２９におけるバックアップ当接部７２の下面が、集積されている紙幣の最上面に当接する。これによりバックアップ部２９は、紙幣の上側に載置された状態となり、重力の作用により該紙幣に対して下方向へ向かう力を作用させ、またこの紙幣により下側から支持される。
【０１１７】
続いて入金部１２では、この状態から中央カバー部２２がさらに矢印Ｒ１方向へ回転すると、連動レバー５５の連動板６２がさらに下方向へ移動する一方で、バックアップ腕部７３の連動ローラ８８が下降せず、そのままの位置を維持しようとする。この結果、連動部９０は、連動板６２及び連動ローラ８８の連動を解除することになる。やがて中央カバー部２２は、閉塞状態（図６（Ａ））に戻る。
【０１１８】
かくして入金部１２では、バックアップ部２９が紙幣の上側に載置されて下方向へ向かう力を作用させるため、該紙幣の最下面からピッカローラ３３に作用する力を増加させ、両者の間に作用する摩擦力を高めることができる。この結果、入金部１２では、回転するピッカローラ３３から紙幣に対して後方へ向かう力を十分に作用させることができ、紙幣を安定的に後方へ送り出すこと、すなわち分離して取り込むことができる。
【０１１９】
［１−４．受渡部における各部の高さの関係］
ところで紙幣処理装置１（図１）は、上述したように、前側に立つ使用者にタッチパネル５の内容を視認させる他、該使用者に該タッチパネル５の操作や受渡部４に対する紙幣の投入若しくは取出を行わせる。このため紙幣処理装置１では、上部３に設けられるタッチパネル５の高さを所定の範囲内に収めることにより、身長が異なる様々なユーザに対して良好に視認させると共に容易に操作させることが可能となる。
【０１２０】
また紙幣処理装置１の受渡部４では、前側に立つ使用者に対し、入金部１２から紙幣を投入させ、また第１出金部１３及び第２出金部１４から紙幣を出金して取り出させる。このため紙幣処理装置１では、受渡部４に設けられる入金部１２、第１出金部１３及び第２出金部１４についても、それほど低くない所定の範囲内に収めることにより、使用者に容易に操作させることが可能となる。
【０１２１】
ところで受渡部４では、図１５に模式的な側面図を示すように、第１出金部１３及び第２出金部１４において、紙幣を収納する集積空間１３Ｓ及び１４Ｓを、回動式のカバー１３Ｃ及び１４Ｃにより閉塞又は開放する。すなわち第１出金部１３及び第２出金部１４は、集積空間１３Ｓ及び１４Ｓの前上側にカバー１３Ｃ及び１４Ｃを位置させた閉塞状態において、該集積空間１３Ｓ及び１４Ｓ内の紙幣を保護することができる。また第１出金部１３及び第２出金部１４は、この閉塞状態からカバー１３Ｃ及び１４Ｃを後方へ回動させた開放状態において、集積空間１３Ｓ及び１４Ｓ内の紙幣を前上側から取り出させることができる。
【０１２２】
しかしながら第１出金部１３及び第２出金部１４は、開放状態において、カバー１３Ｃ及び１４Ｃを閉塞状態よりも後側ないし上側に位置させることになる。また受渡部４では、上述したように、入金部１２の中央カバー部２２も回動方式となっており、開放状態において入金機構部２３の上後側に位置する（図６）。
【０１２３】
ここで、受渡部４の入金部１２、第１出金部１３及び第２出金部１４においてそれぞれの操作性を高めるには、例えば入金部１２におけるフロアガイド３１の高さを、第１出金部１３において開放状態にあるカバー１３Ｃの上端よりも高くすることが考えられる。第１出金部１３及び第２出金部１４についても、同様のことが考えられる。
【０１２４】
しかしながら紙幣処理装置１では、仮に受渡部４の各部をこのように配置した場合、第２出金部１４の集積空間から入金部１２における中央カバー部２２の上端までの高さが極めて大きくなり、これに伴ってタッチパネル５を比較的上方に配置する必要性が生じる。すなわちこの場合、使用者に対する総合的な操作性を低下させる恐れがある。
【０１２５】
そこで受渡部４では、図１５に示したように、入金部１２のフロアガイド３１における前端（すなわち手前側の端部）の高さを、第１出金部１３における閉塞状態にあるカバー１３Ｃ（図中に破線で示す）の上端よりも僅かに高く、且つ第２出金部１４における開放状態にあるカバー１４Ｃの上端よりも高くするよう、各部の高さを定めた。
【０１２６】
一方、紙幣処理装置１では、上述したように、入金取引において、使用者に入金部１２から紙幣を投入させると共に、入金リジェクト紙幣が発生した場合に、これを使用者に返却する必要がある。
【０１２７】
ここで受渡部４は、仮に入金リジェクト紙幣を第１出金部１３から返却する場合、開放状態としたカバー１３Ｃの上端が入金部１２のフロアガイド３１よりも高くなるため、該入金部１２に紙幣を投入する場合の操作性を極めて低下させる恐れがある。そこで紙幣処理装置１では、上述したように、入金取引において入金リジェクト紙幣が発生した場合に、これを第２出金部１４から出金して使用者に返却するようにした。これにより紙幣処理装置１では、入金部１２に対する紙幣の投入と第２出金部１４からの入金リジェクト紙幣の取出との何れに関しても、良好な操作性を実現することができる。
【０１２８】
［１−５．動作及び効果］
以上の構成において、第１の実施の形態による紙幣処理装置１の入金部１２は、中央カバー部２２における連動レバー５５の連動板６２と、バックアップ部２９におけるバックアップ腕部７３の連動ローラ８８とにより連動部９０を構成し、両者を連動させるようにした（図９）。
【０１２９】
本来、入金部１２では、集積空間３０内に収納された紙幣の上側にバックアップ部２９を載置することにより、該紙幣をピッカローラ３３に押し付けて分離及び取り込みの精度を高めている。このため入金部１２では、新たな紙幣を投入する場合、このバックアップ部２９を一時的に持ち上げて、バックアップ当接部７２の下側に十分な大きさの空間を形成する必要が生じる。
【０１３０】
その一方で入金部１２では、集積空間３０に収納されている紙幣を保護する等の目的により、中央カバー部２２を閉塞状態としておき、集積空間３０に対する紙幣の投入時にのみ、この中央カバー部２２を一時的に開放状態に遷移させる必要がある。このため入金部１２では、集積空間３０に紙幣を投入する場合、中央カバー部２２を閉塞状態から一時的に開放状態に遷移させると共に、バックアップ部２９を一時的に持ち上げる必要があった。
【０１３１】
この点において入金部１２は、連動部９０により、使用者に中央カバー部２２を持ち上げるように回動させて閉塞状態（図６（Ａ））から開放状態（図６（Ｂ））へ遷移させることに連動して、バックアップ部２９を上方へ変位させることができる（図１１、図１２及び図１３）。これにより入金部１２では、集積空間３０内におけるバックアップ当接部７２の下側に、十分な大きさの空間を形成することができる。すなわち入金部１２は、使用者に対し、例えば一方の手により中央カバー部２２のつまみ５１Ｔ（図６）を持ち上げるように操作させながら、他方の手により紙幣の束を把持させて集積空間３０内へ投入させる、といった容易な操作を行わせることができる。
【０１３２】
また入金部１２は、使用者に中央カバー部２２を降ろすように回動させて開放状態から閉塞状態へ遷移させるだけで、連動部９０により、持ち上げていたバックアップ部２９を紙幣の上側に載置させると共に、集積空間３０を閉塞することができる（図１４）。これにより入金部１２は、使用者に対し、持ち上げていたバックアップ部２９を紙幣の上に降ろすといった操作を別途させる必要が無い。また入金部１２では、使用者が過失によりバックアップ部２９を降ろす操作を失念して上方へ持ち上げたままとした場合に生じ得る、ピッカローラ３３と紙幣との間に作用する摩擦が不十分となり該紙幣の分離性能が低下する、といった問題も未然に防止できる。
【０１３３】
これを換言すれば、入金部１２は、使用者により中央カバー部２２を回動させて開放状態又は閉塞状態へ遷移させる開閉動作を行わせるだけで、連動部９０により、バックアップ部２９を上昇又は下降させる押圧動作を行い、紙幣の投入に必要な空間の形成や該バックアップ部２９による紙幣の押圧を実現できる。
【０１３４】
さらに連動部９０は、連動レバー５５の連動板６２及びバックアップ腕部７３の連動ローラ８８を常に当接させるのでは無く、中央カバー部２２がある程度開放されている間のみ連動させ（図１２〜図１４）、特に中央カバー部２２が閉塞状態である場合に、この連動を解除するようにした（図１１）。このため連動部９０は、集積空間３０内に収納された紙幣が順次取り込まれてその枚数が順次減少していき、バックアップ部２９が連動ローラ８８と一体に徐々に下方へ移動してきたとしても、中央カバー部２２に対して、何ら影響を及ぼすこと無く閉塞状態を維持させることができる。
【０１３５】
さらに連動部９０では、連動レバー５５を中央カバー部２２と一体に回動させることにより、連動板６２を主に上下方向に移動させるようにし、且つ該連動板６２の一部を、バックアップ腕部７３の連動ローラ８８の真下に常に位置させるようにした（図９等）。これにより連動部９０では、集積空間３０内に残っている紙幣の枚数に拘わらず、中央カバー部２２を回動させて開放状態に遷移することにより、その途中で連動板６２が連動ローラ８８に確実に当接するため、バックアップ部２９を確実に最も上側に持ち上げることができる（図１３）。
【０１３６】
これを換言すれば、入金部１２では、集積空間３０内に紙幣が残っている状態であっても、中央カバー部２２を開放状態に遷移させることによりバックアップ部２９を持ち上げることができ、新たな紙幣を該集積空間３０内へ追加投入させることもできる。これにより使用者は、透明な中央カバー部２２を介して集積空間３０内の紙幣がある程度少なくなったことを視認した場合、この紙幣の取込処理が終了するのを待つこと無く、任意のタイミングで、追加の紙幣を投入することができる。
【０１３７】
また連動部９０では、中央カバー部２２を開放状態から閉塞状態に遷移させる場合、バックアップ部２９のバックアップ当接部７２が紙幣の最上面に当接した時点で、連動部９０における連動板６２及び連動ローラ８８の連動を解除する（図１４）。このため入金部１２では、集積空間３０内に収納されている紙幣の枚数に拘わらず、中央カバー部２２を確実に閉塞状態にまで遷移させることができる。
【０１３８】
以上の構成によれば、第１の実施の形態による紙幣処理装置１の入金部１２は、中央カバー部２２における連動レバー５５の連動板６２と、バックアップ部２９におけるバックアップ腕部７３の連動ローラ８８とを連動部９０として連動させるようにした。これにより入金部１２は、中央カバー部２２を閉塞状態から開放状態に遷移させることに連動して、バックアップ部２９を上方へ変位させることができるので、新たな紙幣を集積空間３０に投入させることができる。また入金部１２は、中央カバー部２２を開放状態から閉塞状態に遷移させることに連動して、バックアップ部２９を下降させ紙幣の上面に当接させることができるので、紙幣の分離及び取込の精度を高めることができる。
【０１３９】
［２．第２の実施の形態］
第２の実施の形態による紙幣処理装置１０１（図１及び図２）は、第１の実施の形態による紙幣処理装置１と比較して、入金部１２に代わる入金部１１２を有する点において相違するものの、他の点については同様に構成されている。
【０１４０】
入金部１１２は、図１１（Ａ）及び（Ｂ）と対応する図１６（Ａ）及び（Ｂ）に示すように、中央カバー部２２及び入金機構部２３に代わる中央カバー部１２２及び入金機構部１２３を有している。入金機構部１２３は、第１の実施の形態による入金機構部２３と比較して、バックアップ移動部１２４を有する点において相違するものの、他の点については概ね同様に構成されている。
【０１４１】
バックアップ移動部１２４は、図示しないモータやギア、或いはベルト等により構成されている。このバックアップ移動部１２４は、制御部１１の制御に基づき、バックアップ部２９に対して上方向又は下方向へ向かう駆動力を作用させることにより、該バックアップ部２９を上方向又は下方向へ移動させる。
【０１４２】
中央カバー部１２２は、第１の実施の形態による中央カバー部２２と比較して、連動レバー５５に代わる連動レバー１５５（左連動レバー１５５Ｌ及び右連動レバー１５５Ｒ）を有する点、及びカバー本体部５１からつまみ５１Ｔが省略されている点において相違するものの、他の点については同様に構成されている。すなわち中央カバー部１２２は、カバー回動軸５３を中心として回動し得るようになっている。
【０１４３】
また中央カバー部１２２は、重力の作用により矢印Ｒ１方向へ回動しようとするものの、図示しないストッパと当接することにより、図１６に示したように入金機構部１２３の前側、すなわち集積空間３０を外部から閉塞した閉塞状態を維持する。
【０１４４】
左連動レバー１５５Ｌは、連動レバー本体部６１及び連動板６２とそれぞれ対応する連動レバー本体部１６１及び連動板１６２により構成されている。連動レバー本体部１６１は、連動レバー本体部６１と同様、概ね前後方向に長く左右方向に薄い板状に構成されている。連動板１６２は、連動板６２と同様に上下方向に薄い板状であるものの、連動レバー本体部１６１における先端近傍のみではなく、先端から後端までの長い範囲に渡って設けられている。
【０１４５】
この左連動レバー１５５Ｌは、カバー本体部５１の左内側面に対し、第１の実施の形態における左連動レバー５５Ｌよりも上側に取り付けられている。すなわち入金部１１２では、左連動レバー１５５Ｌの連動板１６２が左バックアップ腕部７３Ｌの連動ローラ８８よりも上側に位置している。因みに右連動レバー１５５Ｒは、第１の実施の形態と同様に、左連動レバー１５５Ｌと左右対称に構成されている。
【０１４６】
かかる構成により入金部１１２は、図１６（Ａ）及び（Ｂ）に示したように、集積空間３０内に紙幣が収納されておらず、バックアップ部２９が該集積空間３０内の最も下側に位置している場合、中央カバー部１２２により該集積空間３０を閉塞した閉塞状態となっている。このとき入金部１１２では、連動ローラ８８が連動板１６２から十分に引き離されている。
【０１４７】
入金部１１２は、この閉塞状態において、使用者によりタッチパネル５を介して所定の開放操作指示を受け付けると、バックアップ移動部１２４によってバックアップ部２９を上方向へ移動させ、やがて図１７（Ａ）に示すように、連動ローラ８８を連動板１６２に当接させる。これにより入金部１１２では、連動ローラ８８及び連動板１６２の連動を開始させる。本実施の形態では、連動ローラ８８及び連動板１６２をまとめて連動部１９０とも呼ぶ。
【０１４８】
このとき入金部１１２では、バックアップ部２９におけるバックアップ当接部７２の下面と底部２５のフロアガイド３１との間に十分な間隔、すなわち一度に投入可能な最大枚数（例えば３００枚）の紙幣を投入し得るような間隔を形成している。また入金部１１２では、連動ローラ８８が連動板１６２に当接するまでの間、中央カバー部１２２を閉塞状態に維持している。
【０１４９】
続いて入金部１１２は、バックアップ部２９をさらに上方向へ移動させることにより、連動ローラ８８から連動板１６２に対して上方向へ向かう力を作用させる。これにより入金部１１２は、バックアップ部２９により中央カバー部１２２を上後方へ持ち上げるようにして、矢印Ｒ２方向（図の反時計回り）に回動させることができる。
【０１５０】
やがて入金部１１２は、図１７（Ｂ）に示すように、バックアップ部２９がさらに上昇し、且つ中央カバー部１２２が集積空間３０を開放した開放状態に遷移する。このとき入金部１１２では、中央カバー部１２２が集積空間３０を開放しており、且つバックアップ部２９がフロアガイド３１から十分に引き離されているため、使用者に対し、中央カバー部１２２を持ち上げる作業を行わせること無く、集積空間３０内に紙幣を投入させることができる。
【０１５１】
また入金部１１２は、使用者によりタッチパネル５を介して所定の閉塞操作指示を受け付けると、バックアップ移動部１２４によってバックアップ部２９を下方向へ移動させていく。このとき中央カバー部１２２は、重力の作用により連動ローラ８８を連動板１６２に当接させた状態、すなわちバックアップ部２９により下側から支持された状態を維持しているため、バックアップ移動部１２４の下降に伴って矢印Ｒ１方向（図の時計回り）に回動していく。
【０１５２】
その後、入金部１１２は、図１７（Ａ）に示したように中央カバー部１２２が閉塞状態に遷移すると、連動ローラ８８を連動板１６２から引き離して連動を解除する。さらに入金部１１２は、バックアップ部２９の下降を継続し、バックアップ当接部７２の下面を紙幣の最上面に当接させた段階で、該バックアップ部２９の下降を終了する。
【０１５３】
以上の構成において、第２の実施の形態による紙幣処理装置１０１の入金部１１２は、
中央カバー部１２２における連動レバー１５５の連動板１６２と、バックアップ部２９におけるバックアップ腕部７３の連動ローラ８８とにより連動部１９０を構成し、両者を連動させるようにした（図１６）。
【０１５４】
すなわち入金部１１２は、使用者の指示に基づいてバックアップ部２９を上方へ移動させることにより、連動部１９０により、中央カバー部１２２を持ち上げるように回動させて閉塞状態（図１６）から開放状態（図１７（Ｂ））へ遷移させることができる。これにより入金部１１２では、集積空間３０内におけるバックアップ当接部７２の下側に、十分な大きさの空間を形成することができる。
【０１５５】
また入金部１１２は、使用者の指示に基づいてバックアップ部２９を下方へ移動させることにより、連動部１９０により、中央カバー部１２２を回動させて開放状態（図１７（Ｂ））から閉塞状態（図１６）へ遷移させ、さらに該バックアップ部２９を紙幣の上側に載置することができる。
【０１５６】
すなわち入金部１１２は、使用者の支持によりバックアップ部２９を上昇又は下降させ、紙幣の投入に必要な空間の形成や該バックアップ部２９を紙幣の上側に載置させることができ、このとき連動部１９０により中央カバー部２２を回動させて開放状態又は閉塞状態へ遷移させることができる。
【０１５７】
以上の構成によれば、第２の実施の形態による紙幣処理装置１０１の入金部１１２は、中央カバー部１２２における連動レバー１５５の連動板１６２と、バックアップ部２９におけるバックアップ腕部７３の連動ローラ８８とを連動させて連動部１９０を構成した。これにより入金部１１２は、バックアップ部２９を上方へ変位させることに連動して、中央カバー部１２２を閉塞状態から開放状態に遷移させ、新たな紙幣を集積空間３０に投入させることができる。また入金部１１２は、バックアップ部２９を下降させることに連動して、中央カバー部１２２を開放状態から閉塞状態に遷移させることができ、さらに該バックアップ部２９を紙幣の上側に当接させて、紙幣の分離及び取込の精度を高めることができる。
【０１５８】
［３．他の実施の形態］
なお上述した第１の実施の形態においては、中央カバー部２２における連動レバー５５に設けた板状の連動板６２と、バックアップ部２９におけるバックアップ腕部７３に設けた円柱状の連動ローラ８８とを連動させて連動部９０とすることにより、中央カバー部２２及びバックアップ部２９を連動させる場合について述べた（図９）。しかしながら本発明はこれに限らず、中央カバー部２２及びバックアップ部２９にそれぞれ種々の形状でなる部品等を設けて連動部としても良い。
【０１５９】
例えば図１８（Ａ）に示す入金部２１２のように、複数の棒状の部材を自在に回動し得るように連結した、いわゆるリンク機構を有する連動部２９０を構成しても良い。この入金部２１２では、図１８（Ｂ）に示すように、中央カバー部２２を開放状態に遷移させると、連動部２９０が直線状になってバックアップ部２９を引っ張り上げる。また入金部２１２は、図１９（Ｃ）に示すように、集積空間３０内に収納された紙幣の上側にバックアップ部２９を載置させ場合、連動部２９０を屈曲させながら、中央カバー部２２を閉塞状態にまで回動させることができる。要は、中央カバー部２２の回動とバックアップ部２９の移動とを連動させることができれば良い。第２の実施の形態についても同様である。
【０１６０】
また上述した第１の実施の形態においては、バックアップ部２９のバックアップ腕部７３において、ローラ回転軸８５を中心に連動ローラ８８を回転し得るように構成する場合について述べた（図８）。しかしながら本発明はこれに限らず、例えば連動ローラ８８をバックアップ腕部７３の垂直腕部に固定して連動部材としても良い。この場合、例えば連動部材の表面に低摩擦部材を取り付ける等により、連動板６２との間に生じる摩擦を低減させるとなお良い。またこの場合、連動部材を種々の形状とすることができる。第２の実施の形態についても同様である。
【０１６１】
さらに上述した第１の実施の形態においては、バックアップ部２９のバックアップ腕部７３において、スライドローラ８６及び連動ローラ８８を互いに独立して回転可能とする場合について述べた（図８）。しかしながら本発明はこれに限らず、例えばスライドローラ８６及び連動ローラ８８を一体化しても良い。第２の実施の形態についても同様である。
【０１６２】
さらに上述した第１の実施の形態においては、バックアップ部２９のバックアップ腕部７３にスライドローラ８６及び８７を設け、これらをサイドフレーム溝４２内で回転させながら、該バックアップ部２９を上下方向へ移動させる場合について述べた。しかしながら本発明はこれに限らず、例えばバックアップ腕部７３の垂直腕部８２に所定形状のスライド部材を固定し、このスライド部材をサイドフレーム溝４２内で摺動させても良い。この場合、スライド部材を上下方向に長く形成し、或いは上下方向に離れた複数箇所に離散的に取り付けることにより、サイドフレーム溝４２に対して上下方向に離れた複数箇所で当接させることにより、バックアップ部２９の姿勢変化を抑止することが望ましい。さらにこの場合、サイドフレーム溝に代えて、集積方向に沿った形状でありスライド部材と係合する種々の被係合部材を設けても良い。第２の実施の形態についても同様である。
【０１６３】
さらに上述した第１の実施の形態においては、バックアップ部２９のバックアップ腕部７３において、垂直腕部８２にスライダ８３を取り付け、このスライダ８３をサイドフレーム４１に摺動させる場合について述べた（図８、図９）。しかしながら本発明はこれに限らず、例えばスライドローラ８６及び８７に代えて、図１９（Ａ）に示すようにフランジを有するスライドローラ３８６及び３８７を用いても良い。この場合、図９と対応する図１９（Ｂ）に示すように、バックアップ腕部３７３において、スライダ８３並びにスライドローラ８６及び８７に代えてスライドローラ３８６及び３８７を組み込むことができる。第２の実施の形態についても同様である。
【０１６４】
さらに上述した第１の実施の形態においては、左右方向の位置を調整可能なサイドガイド４３をサイドフレーム４１の内側に設け、該サイドガイド４３により紙幣の左右方向に関する移動範囲を規制する場合について述べた（図４（Ａ））。しかしながら本発明はこれに限らず、例えばサイドガイド４３を固定式にしても良く、或いはサイドガイド４３を省略してサイドフレーム４１により紙幣の左右方向に関する移動範囲を規制しても良い。第２の実施の形態についても同様である。
【０１６５】
さらに上述した第１の実施の形態においては、バックアップ腕部７３をバックアップ本体部７１の側面における前後方向のほぼ中央に配置する場合について述べた（図８）。しかしながら本発明はこれに限らず、例えばバックアップ本体部７１の側面における前後方向の前寄りや後寄りに配置しても良い。この場合、バックアップ部２９全体の重心とバックアップ腕部７３との間で前後方向の位置を一致又は近接させ、該バックアップ部２９の姿勢変化を抑止することが望ましい。第２の実施の形態についても同様である。
【０１６６】
さらに上述した第１の実施の形態においては、中央カバー部２２のカバー本体部５１に対し、別部品でなる連動レバー５５を取り付ける場合について述べた（図６）。しかしながら本発明はこれに限らず、例えば中央カバー部２２のカバー本体部５１における左右の側板部分と一体に連動板６２を成型しても良い。第２の実施の形態についても同様である。
【０１６７】
さらに上述した第１の実施の形態においては、使用者により手動で中央カバー部２２を回動させる場合について述べた。しかしながら本発明はこれに限らず、例えばアクチュエータ等を組み込み、タッチパネル５を介した操作等に応じて中央カバー部２２をこのアクチュエータ等の駆動力によって回動させても良い。
【０１６８】
さらに上述した第１の実施の形態においては、中央カバー部２２を閉塞状態から回動させることにより、入金機構部２３の前側を開放した開放状態に遷移させる場合について述べた（図６）。しかしながら本発明はこれに限らず、例えば中央カバー部２２を閉塞状態から上方向へスライドさせて開放状態に遷移させ、或いは所定のリンク機構により変位して開放状態に遷移させる等、他の種々の手法により閉塞状態から開放状態に遷移させても良い。要は、中央カバー部２２を閉塞状態から開放状態に遷移させるときに、連動部９０によりバックアップ部２９を連動して上方向へ移動させ、また中央カバー部２２を開放状態から閉塞状態に遷移するときに、連動部９０によりバックアップ部２９を下方向へ移動させ得れば良い。第２の実施の形態についても同様である。
【０１６９】
さらに上述した第１の実施の形態においては、軸受部５４にトルクリミッタ（図示せず）を組み込むことにより、使用者がつまみ５１Ｔから手を離しても中央カバー部２２が開放状態を維持する場合について述べた。しかしながら本発明はこれに限らず、例えば軸受部５４にトルクリミッタを省略し、使用者がつまみ５１Ｔから手を離すと中央カバー部２２が閉塞状態への遷移を開始するようにしても良い。
【０１７０】
さらに上述した第１の実施の形態においては、入金部１２におけるフロアガイド３１の前端の高さを、第１出金部１３において開放状態であるカバーの上端よりも低くする場合について述べた（図１５）。これに伴い第１の実施の形態では、入金取引において入金リジェクト紙幣が発生したときに、これを第２出金部１４（図２及び図３）から使用者に返却するようにした。しかしながら本発明はこれに限らず、例えば入金部１２におけるフロアガイド３１の前端３１Ｆの高さを、第１出金部１３において開放状態であるカバー１３Ｃの上端よりも高くしても良い。この場合、入金取引において入金リジェクト紙幣が発生したときに、これを第１出金部１３から使用者に返却しても良い。第２の実施の形態についても同様である。
【０１７１】
さらに上述した第１の実施の形態においては、開放状態（図１３）において、中央カバー部２２における前面部分の下端を、バックアップ部２９における前面部分の前側に位置させ、両者の間に隙間を形成しない場合について述べた。しかしながら本発明はこれに限らず、例えば開放状態において、中央カバー部２２における前面部分の下端を、バックアップ部２９の前面部分よりも上側に位置させても良い。この場合、例えばバックアップ部２９の上側前寄りに、紙幣の誤投入を防止するための部材である投入抑止部を設けても良い。第２の実施の形態についても同様である。
【０１７２】
さらに上述した第１の実施の形態においては、中央カバー部２２を光透過率の高い材料により構成し、閉塞状態において集積空間３０内の様子を使用者に視認させる場合について述べた。しかしながら本発明はこれに限らず、例えば中央カバー部２２を光透過率の低い材料により構成し、閉塞状態において集積空間３０内の様子を使用者に視認させないようにしても良い。この場合、例えば所定のセンサによりバックアップ部２９の高さを検知し、これをタッチパネル５に表示することにより、集積空間３０における紙幣の残量を使用者に把握させても良い。第２の実施の形態についても同様である。
【０１７３】
さらに上述した第１の実施の形態においては、下部２の上側に上部３を設け、この上部３にタッチパネル５を設ける場合について述べた（図１）。しかしながら本発明はこれに限らず、例えば上部３を省略しても良い。第２の実施の形態についても同様である。
【０１７４】
さらに上述した第１の実施の形態においては、媒体としての紙幣を取り扱う紙幣処理装置１の入金部１２に本発明を適用する場合について述べた。しかしながらこれに限らず、例えば各種証券や金券、或いは入場券のような紙葉状の媒体、若しくは種々の形状の媒体を取り扱う種々の装置において、当該媒体を取り込む取込部に本発明を適用するようにしても良い。第２の実施の形態についても同様である。
【０１７５】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１７６】
さらに上述した第１の実施の形態においては、集積部としての入金機構部２３と、分離取込部としての分離取込部３９と、媒体押圧部としてのバックアップ部２９と、カバー部としての中央カバー部２２と、連動部としての連動部９０とによって媒体取込装置としての入金部１２を構成する場合について述べた。しかしながら本発明はこれに限らず、その他種々の構成でなる集積部と、分離取込部と、媒体押圧部と、カバー部と、連動部とによって媒体取込装置を構成しても良い。
【産業上の利用可能性】
【０１７７】
本発明は、媒体を内部に取り込む取込部を有する種々の装置でも利用できる。
【符号の説明】
【０１７８】
１、１０１……紙幣処理装置、４……受渡部、１２、１１２……入金部、１３……第１出金部、１４……第２出金部、１５……搬送部、１６……鑑別部、２１……側カバー部、２２、１２２……中央カバー部、２３、１２３……入金機構部、２５……底部、２６……背部、２７……左側部、２８……右側部、２９……バックアップ部、３０……集積空間、３１……フロアガイド、３９……分離取込部、３９Ｇ……ゲート、４１……サイドフレーム、４２……サイドフレーム溝、４３……サイドガイド、４４……サイドガイド溝、５１……カバー本体部、５３……カバー回動軸、５５、１５５……連動レバー、５７……ロックレバー、６１、１６１……連動レバー本体部、６２、１６２……連動板、７１……バックアップ本体部、７２……バックアップ当接部、７３……バックアップ腕部、８３……スライダ、８６、８７……スライドローラ、８８……連動ローラ、９０、１９０……連動部、１２４……バックアップ移動部。
【図１】
2018205820.tif 000003
【図２】
2018205820.tif 000004
【図３】
2018205820.tif 000005
【図４】
2018205820.tif 000006
【図５】
2018205820.tif 000007
【図６】
2018205820.tif 000008
【図７】
2018205820.tif 000009
【図８】
2018205820.tif 000010
【図９】
2018205820.tif 000011
【図１０】
2018205820.tif 000012
【図１１】
2018205820.tif 000013
【図１２】
2018205820.tif 000014
【図１３】
2018205820.tif 000015
【図１４】
2018205820.tif 000016
【図１５】
2018205820.tif 000017
【図１６】
2018205820.tif 000018
【図１７】
2018205820.tif 000019
【図１８】
2018205820.tif 000020
【図１９】
2018205820.tif 000021